(57)【要約】      （修正有）【課題】主軸の先端に円盤カッターを取付け、刈り取った雑草が周囲に飛び散らないようにした草刈り機を提供する。【解決手段】主軸２にはその左側に草受け３を傾斜して取付け、該草受けは先端側縁７と主軸側縁を有す概略三角形とし、頂点側を円盤カッター１に重なり合うように、また先端側縁を円盤カッターの上面との間に僅かな隙間を残して配置している。【選択図】図１
0003233260.tif 000002
【実用新案登録請求の範囲】
【請求項１】
主軸の先端に円盤カッターを取付けた草刈り機において、円盤カッターの回転方向に応じて上記主軸には作業者側から見てその左側又は右側に草受けを傾斜して取付け、該草受けは先端側縁と主軸側縁を有す概略三角形とし、頂点部側を円盤カッターに重なり合うように、また先端側縁を円盤カッターの上面との間に僅かな隙間を残して配置したことを特徴とする草刈り機。
【請求項２】
上記草受けを主軸にバンドを介して取付け、その位置及び傾斜角度を調整可能とした請求項１記載の草刈り機。
【請求項３】
先端に円盤カッターを取付けた草刈り機の主軸に取付けられる草受けにおいて、該草受けは先端側縁と主軸側縁を有す概略三角形とし、草受けは主軸に傾斜して取付けられ、円盤カッターの上面との間には僅かな隙間を介在するように配置可能としたことを特徴とする草刈り機の草受け。
【考案の詳細な説明】
【技術分野】
【０００１】
本考案は草刈り機、特に刈取って周辺に飛び散った雑草を集める手間がかからないように草受けを取付けた草刈り機に関するものである。
【背景技術】
【０００２】
近年では屋外に生えた雑草を刈取る作業を行う際に草刈り機を使用するケースは多い。草刈り機にて雑草を刈取る場合には雑草の根ごと取り除かれることはないが、雑草が覆い茂った場所、例えば田畑、河川敷、堤防の法面に生えている雑草は鎌で刈取ることは大変な重労働であることから、草刈り機を用いて比較的楽に効率よく刈取ることが出来る。
【０００３】
図５は従来から市販されている一般的な草刈り機を示す具体例であり、主軸（イ）の手元側にはエンジン（ロ）が取付けられ、そして、主軸（イ）の先端には円盤カッター（ハ）を備えている。上記円盤カッター（ハ）はエンジン（ロ）によって回転し、外周に形成している切断刃が雑草に当たることで該雑草は切り取られる。
上記主軸（イ）は中空パイプで構成されていて、この中心軸部に設けている穴に駆動軸が挿通し、エンジン（ロ）と円盤カッター（ハ）が該駆動軸によって連結されている。
【０００４】
また、主軸（イ）の手元側にはハンドル（ニ）が装着されていて、このハンドル（ニ）を持って草刈り作業を行うことが出来るように成っている。上記円盤カッター（ハ）の形状並びに材質は色々存在していて、刈り取られる雑草の種類によって交換することが可能と成っている。そして、主軸（イ）の先端側には安全カバー（ホ）が取付けられていて、円盤カッター（ハ）の回転に伴って小石が飛ばされ、これが作業者に当たらないようにしている。
ところで、草刈り機で雑草を刈り取る場合、地面から１〜２ｃｍの高さで切断され、雑草の根及び１〜２ｃｍの茎はそのまま残される。
【０００５】
草刈り機は地面とほぼ平行を成す水平な円盤カッター（ハ）から斜め上方に主軸（イ）が延び、作業者は立ったままでハンドル（ニ）を持って作業することが出来る。
しかし、刈取られた雑草はそのまま周囲に倒れて放置され、その為に刈取り作業が終わったところで、周囲に散乱している雑草を集めて処理しなくてはならない。草刈りを行う場合、実質的な草刈り作業の他に、刈取られて周囲に散乱した雑草を集める作業も大変な仕事である。
【０００６】
雑草が生える場所は限りなく存在し、例えば堤防（土手）の法面に生えている雑草を刈取る場合、刈取られた雑草は落下して川に流れてしまう。多量の雑草が川の流れと共に下流へ流され、それを放置するならば大きな問題であり、その為に刈取り作業を行う際には、川に落ちて流される雑草を拾い上げなくてはならず、大変な作業が強いられる。
また、土手の傾斜した法面に散乱している雑草を熊手を使って集めなくてはならない。
【０００７】
近年、重要の多い草刈り機に関する開発が行われ、新たな技術は色々知られている。特開２００２−２０４６１０号に係る「集草機能付草刈り機械」は、背丈の長い雑草刈り作業をする場合、草刈り工程と集草工程を同時に一台の機械で出来る草刈り機械である。
【０００８】
そこで、モア刈り刃の回転により草刈り工程で草を刈り、刈った草を集草受けプレートに集める。ブラシの回転によって取り残した草を集草受けプレートに送りブロアーの送風により集草ダクト通って、集草袋にあつめる。これにより草刈り工程から集草工程まで、一連の作業が一台の機械で施工できる。
しかし、この「集草機能付草刈り機械」は大きな装置であって、各家庭で個人的に手軽に使うことが出来るものではない。
【特許文献１】特開２００２−２０４６１０号に係る「集草機能付草刈り機械」
【考案の開示】
【考案が解決しようとする課題】
【０００９】
このように、従来の草刈り機には上記のごとき問題がある。本考案が解決しようとする課題はこの問題点であり、円盤カッターによって刈取られた雑草を後で拾い集める必要がなく、すなわち刈り取られる雑草が周囲に散乱しないように草受けを備えた草刈り機を提供する。
【課題を解決するための手段】
【００１０】
本考案の草刈り機は主軸の先端に円盤カッターを取付け、主軸の手元にはエンジン又はモータを備え、上記エンジン又はモータの動力によって円盤カッターは回転することが出来るように構成されている。したがって、草刈り機としての基本的な構造は従来のものと共通している。
また、主軸の先端に取付けた円盤カッターの切断刃が石に当たってその一部が破損した場合や小石が飛ばされた場合、破片や小石が作業者に当たらないようにする安全カバーを取付ける場合は多いが、この安全カバーを省くこともある。
【００１１】
ところで、本考案の草刈り機は円盤カッターに一部が重なり合うように、その上面側に草受けを主軸の左側に取付けている。円盤カッターは左回転（反時計方向）である為に、作業者側からみて主軸の左側で、しかも傾斜して配置されている。
草受けは板状体であって、その材質は金属板又はプラスチック板が使用され、形状は特に限定はしないが、主軸に沿って延びる概略三角形とし、必要に応じてその位置及び傾斜角度を変えることが出来るように主軸に取付けられている。
【考案の効果】
【００１２】
本考案の草刈り機には草受けが取付けられている。そこで、草受けは刈取られた雑草が円盤カッターの回転によって周囲に飛び散ることなく、上に載せることが出来、また所定の領域にまとまって収まるようにすることが出来る。その為に、刈り取られた雑草の後始末が楽になり、草刈り作業を効率よく行い得る。
例えば、農業用水路の法面に生えた雑草を刈取る際、刈り取られる雑草は草受けに載って受けられ、川に落ちて流れることは殆どない。その為に、従来の草刈り機を用いて刈り取る場合のように、流れに乗って流される雑草を川から拾い上げる作業から解放される。
【００１３】
道路の脇や公園などのほぼ平坦な場所に生えた雑草を刈取る場合には、刈り取られる雑草は円盤カッターが移動する領域にまとまって収まり、周囲に飛び散ることはない。また、草受けは従来の安全カバーの役目を果たすことも可能と成り、その為に安全カバーを無くすことも出来る。
そして、草受けは金属板又はプラスチック板にて構成され、その製作コストは安く、また既存の草刈り機の主軸に手軽に取付けることが出来る。
【図面の簡単な説明】
【００１４】
【図１】円盤カッターを取付けている草刈り機先端側の平面図。
【図２】円盤カッターを取付けている草刈り機先端側の側面図。
【図３】図１のＡ−Ａ断面図。
【図４】草受けを示す具体例。
【図５】従来の一般的な草刈り機。
【考案を実施するための形態】
【００１５】
草刈り機としての基本的な形態は前記図５に示した場合と共通し、主軸先端には円盤カッターを取付け、主軸の手元側にはエンジンを備えている。そこで、エンジンの動力にて上記円盤カッターは回転するが、該エンジンと円盤カッターは主軸の中空穴に挿通している駆動軸を介して連結している。
図１、図２は草刈り機の先端部（円盤カッター側）を示す実施例であり、平面図と側面図をそれぞれ表している。
【００１６】
同図の１は円盤カッター、２は主軸、３は草受け、４は安全カバーを表しており、上記円盤カッター１の外周には複数の切断刃５，５・・・が形成され、その為に円盤カッター１が回転することで切断刃５，５・・・が雑草の茎に当たって、雑草を切り倒すことが出来る。
【００１７】
上記安全カバー４は円盤カッター１と所定の間隔をおいて主軸２に取付けられ、その位置は変更することが出来るようにバンド６にて締め付けられている。
高速回転する円盤カッター１が草刈り作業中に小石などに当たるならば、該小石などは飛ばされ、これが作業者に当らないように上記安全カバー４を適当な位置に取付けている。しかし、本考案の草刈り機では該安全カバー４を取付けない場合もある。
【００１８】
本考案の草刈り機には上記草受け３が主軸２に装着されている。この草受け３は主軸２と円盤カッター１との間に形成される空間を埋めるように取付けられ、しかし、回転する円盤カッター１と接触することはなく僅かな隙間を設けている。
主軸２は円盤カッター１の上面に対して所定の角度で傾斜し、その為に草受け３の形状は傾斜して延びる主軸２と円盤カッター１との間に形成される空間を埋めることが出来るように概略三角形と成っている。
【００１９】
そして、円盤カッター１は同図に示しているように、反時計方向（矢印方向）に回転する為に、草受け３は作業者から見て主軸２の左側に取付けられ、その先端側縁７は円盤カッター１の上面と近接するように下方へ傾斜して延びている。
草受け３にはバンド８，８が設けられていて、両バンド８，８をネジ締めすることで主軸２の適当な位置に固定され、しかも任意の傾斜角度に調整することが出来る。
草刈り機の円盤カッター１は一般に反時計方向の回転であるが、逆に時計方向回転（右方向回転）とする草刈り機では、上記草受け３は作業者から見て主軸の右側に取付けられる。
【００２０】
図３は前記図１のＡ−Ａ断面を示しているが、草受け３は主軸２に取付けられ、該主軸２から円盤カッター１側へ傾斜して延び、該円盤カッター１の上面９に先端側縁７は僅かな隙間１３を残して近接している。主軸２の中空穴には駆動軸１４が挿通し、主軸２の外周に巻き付いているバンド8によって草受け３が取付けられている。
ところで、円盤カッター１が反時計方向に回転することで刈り取られた雑草は円盤カッター１と草受け３との間に形成される空間１０に集まり、周囲に飛び散ることは殆どない。そして、この空間１０が雑草で一杯になるならば、円盤カッター１の外周へ押出される。
【００２１】
図４は上記草受け３を単独で表している具体例であり、その形状は同図に示しているように概略三角形と成っている。先端側縁７と主軸側縁１１とは所定の交差角θを有し、頂点部は削除された概略三角形としている。三角形としての具体的な形状は問わないが、先端側縁７と主軸側縁１１の２辺を長くして、横に倒した形状の概略三角形としている。
【００２２】
草受け３の両端には小さい穴１２，１２が設けられ、主軸２に巻付いたバンド８，８に取付ける為のネジが該穴１２，１２に挿通される。主軸側縁１１は主軸２に沿って取付けられ、円盤カッター１の上面９との間に僅かな隙間１３が残るように、適当な傾斜角度βをもつて草受け３は取付けられる。
そこで、反時計方向に回転する円盤カッター１によって刈取った雑草は草受け３の上に押し上げられ、そのまま別の場所に移動して刈取った雑草を草受け３から地面に落すことが出来る。
【００２３】
例えば、土手の傾斜した法面に生えている雑草を刈取る際、刈り取られた雑草は草受け３に載せて土手の水平な上面に落すことが出来る。したがって、従来の草刈り機のように、刈り取られた雑草が周囲に散乱して水路に落ちて流れることはない。また、熊手を用いて傾斜した法面に散乱している雑草を集めて掃除する必要もなくなる。
【００２４】
一方、畑や公園など広い場所に生えている雑草を刈取る場合、円盤カッター１によって順次刈り取られる雑草は、円盤カッター１と草受け３との間に形成される空間１０に溜まるが、該空間１０が一杯になれば円盤カッター１の外周から押し出される。したがって、刈り取られた雑草は周囲に散乱することはなく、該空間１０からまとまった状態で押し出される。
そして、本考案の草受け３は刈り取られた雑草の飛散を防止すると共に、安全カバーと同じような効果もある。円盤カッター1によって飛ばされる小石は該草受け３に当たって作業者側へ飛ばされないように機能することが出来る。
【符号の説明】
【００２５】
１   円盤カッター
２   主軸
３   草受け
４   安全カバー
５   切断刃
６   バンド
７   先端側縁
８   バンド
９   上面
10   空間
11   主軸側縁
12   穴
13   隙間
14   駆動軸
【図１】
0003233260.tif 000003
【図２】
0003233260.tif 000004
【図３】
0003233260.tif 000005
【図４】
0003233260.tif 000006
【図５】
0003233260.tif 000007